(57)【特許請求の範囲】
【請求項１】
死体防腐処置台のための作業面拡張部において、
処置面及び構造的接触面を形成しているシート部材と、
前記シート部材へ固定されていて当該シート部材の前記構造的接触面と接触している１つ又はそれ以上のスパー部材と、
前記１つ又はそれ以上のスパー部材へ固定されている少なくとも１つの補剛部材であって、当該少なくとも１つの補剛部材は、その一部分を台基準面機構によって形成されている台受け入れ開口部と、横方向に前記台受け入れ開口部から第１の方向へ延びる突張り部材と、横方向に前記台受け入れ開口部から第２の方向へ延びるシート接触面と、を備えており、前記台基準面機構と前記シート部材の前記処置面は、鋭角となるような拡張部整列角度に整列されている、少なくとも１つの補剛部材と、
前記少なくとも１つの補剛部材と回転可能に係合している締め付け部材であって、当該締め付け部材は、前記少なくとも１つの補剛部材の前記台受け入れ開口部を少なくとも部分的に包囲するように付勢される台係合機構を備えている、締め付け部材と、を備えている作業面拡張部。
【請求項２】
前記シート部材は、当該シート部材の台端部、当該シート部材の横方向端部、又はその両方、に形成されている１つ又はそれ以上の成形部分を備えている、請求項１に記載の作業面拡張部。
【請求項３】
前記１つ又はそれ以上の成形部分は、前記１つ又はそれ以上のスパー部材とインターロックされている、請求項２に記載の作業面拡張部。
【請求項４】
前記１つ又はそれ以上のスパー部材は、前記シート部材の前記１つ又はそれ以上の成形部分と前記少なくとも１つの補剛部材の間に締め付けられている、請求項３に記載の作業面拡張部。
【請求項５】
前記少なくとも１つの補剛部材は選択的に回転可能である、請求項４に記載の作業面拡張部。
【請求項６】
前記１つ又はそれ以上のスパー部材の第１のスパー部材は、付勢式取付部材を介して前記少なくとも１つの補剛部材の孔と係合している、請求項５に記載の作業面拡張部。
【請求項７】
前記１つ又はそれ以上の成形部分は丸みである、請求項３に記載の作業面拡張部。
【請求項８】
前記１つ又はそれ以上のスパー部材は円形断面を有している、請求項７に記載の作業面拡張部。
【請求項９】
前記シート部材はステンレス鋼を備えている、請求項１に記載の作業面拡張部。
【請求項１０】
前記シート部材は、流動物を収容するための１つ又はそれ以上のフランジを備えている、請求項１に記載の作業面拡張部。
【請求項１１】
前記シート部材は横方向にテーパを付けられている、請求項１に記載の作業面拡張部。
【請求項１２】
前記１つ又はそれ以上のスパー部材は中空である、請求項１に記載の作業面拡張部。
【請求項１３】
前記少なくとも１つの補剛部材は丈夫な化学薬品耐性プラスチックを備えている、請求項１に記載の作業面拡張部。
【請求項１４】
前記少なくとも１つの補剛部材は、当該少なくとも１つの補剛部材に形成されている陥凹に前記１つ又はそれ以上のスパー部材の１つを受けている、請求項１に記載の作業面拡張部。
【請求項１５】
前記拡張部整列角度は約４５°未満である、請求項１に記載の作業面拡張部。
【請求項１６】
前記少なくとも１つの補剛部材はスパー係合部材と回転可能に連結されている、請求項１に記載の作業面拡張部。
【請求項１７】
死体防腐処置用組立体であって、
外形を有する作業面を備える死体防腐処置台と、
処置面及び構造的接触面を形成しているシート部材と、前記シート部材へ固定されていて当該シート部材の前記構造的接触面と接触している１つ又はそれ以上のスパー部材と、前記１つ又はそれ以上のスパー部材へ固定されている少なくとも１つの補剛部材と、前記少なくとも１つの補剛部材と回転可能に係合している締め付け部材と、を備える作業面拡張部と、を備えている死体防腐処置用組立体において、
前記少なくとも１つの補剛部材は、その一部分を台基準面機構によって形成されている台受け入れ開口部を備え、
前記締め付け部材は、付勢方向に付勢される台係合機構を備え、
前記少なくとも１つの補剛部材の前記台基準面機構は、前記死体防腐処置台の前記作業面と接触し、前記締め付け部材の前記台係合機構によって当該作業面に向けて押され、
前記締め付け部材の前記台係合機構及び前記少なくとも１つの補剛部材の前記台受け入れ開口部は、協働して前記死体防腐処置台の前記作業面の前記外形を少なくとも部分的に取り囲む、死体防腐処置用組立体。
【請求項１８】
前記死体防腐処置台の前記作業面は、支持フレームへ連結されており、前記締め付け部材の前記台係合機構及び前記少なくとも１つの補剛部材の前記台受け入れ開口部は、協働して前記支持フレームの部分を少なくとも部分的に取り囲む、請求項１７に記載の死体防腐処置用組立体。
【請求項１９】
前記締め付け部材の前記台係合機構を前記付勢方向と反対の方向に作動させると、前記締め付け部材の前記台係合機構及び前記少なくとも１つの補剛部材の前記台受け入れ開口部によって取り囲まれる前記死体防腐処置台の前記外形の割合が小さくなる、請求項１７に記載の死体防腐処置用組立体。
【請求項２０】
前記少なくとも１つの補剛部材は、横方向に前記台受け入れ開口部から延びる突張り部材と、前記突張り部材へ連結されていて前記死体防腐処置台と接触する台接触部材と、を備えている、請求項１７に記載の死体防腐処置用組立体。
【請求項２１】
前記台接触部材はエラストマーを備えている、請求項２０に記載の死体防腐処置用組立体。
【請求項２２】
前記シート部材は当該シート部材の台端部に形成されている成形部分を備えており、前記成形部分は前記１つ又はそれ以上のスパー部材の１つとインターロックされる、請求項１７に記載の死体防腐処置用組立体。
【請求項２３】
前記死体防腐処置台は流動物排流陥凹を備えており、前記シート部材の前記成形部分は前記流動物排流陥凹上方に位置付けられる、請求項２２に記載の作業面拡張部。
【請求項２４】
前記死体防腐処置台は、前記作業面拡張部を収納するための１つ又はそれ以上のブラケット部材へ連結されている、請求項１７に記載の死体防腐処置用組立体。
【発明の詳細な説明】
【技術分野】
【０００１】
本明細書は、概括的には、死体防腐処置台のための作業面拡張部に関する。
【背景技術】
【０００２】
人間の死体は、腐敗を未然に防ぎ死体を葬儀で会葬者に見せるのにふさわしくするために、防腐処置が施されることがある。防腐処置プロセスは、死体を保存、衛生化、及び消毒する各種防腐処置用化学薬品の使用を含むことがある。防腐処置用化学薬品には、ホルムアルデヒド、グルタルアルデヒド、エタノール、保湿剤、湿潤剤、及び他の溶剤が含まれよう。具体的には、防腐処置プロセス中、防腐処置用化学薬品が人間の死体の中へ注入され、臓器が死体から除去されることになる。従って、防腐処置プロセスには様々な流動物及び固形物の正しい取り扱いが必要になってくる。
【０００３】
防腐処置プロセス時、死体は防腐処置プロセス中の流動物を制御するために防腐処置台上に支持されることになる。例示としての防腐処置台に、米国、オハイオ州、ウィルミントンのＦｅｒｎｏ−Ｗａｓｈｉｎｇｔｏｎ，Ｉｎｃ．社から入手可能な型番１０１−Ｈ油圧式施行台、型番１０２−折り畳み式施行台、及び型番１０３−組合せ式施行台が含まれる。
【０００４】
近年、肥満率が増加しており、肥満率は更に加齢に伴って増加している。その結果、肥満は毎年多くの死を引き起こしている。しかしながら、多くの葬儀場が使用している現在の死体防腐処置台は、肥満者の死体を取り扱うには不適切である。死体防腐処置台の多くは、肥満者の死体及び／又は死体防腐プロセス中に放出される流動物を収容するには十分に大きくない。また、葬儀場が住居を葬儀場としての使用のために改装したものであることは珍しくない。その様な葬儀場は、肥満者の死体に係る使用のために特化して製作された死体防腐処置台に対して小さい間口及び通路を有していることが間々ある。
【発明の概要】
【発明が解決しようとする課題】
【０００５】
従って、代わりの死体防腐処置台のための作業面拡張部の必要性が存在している。
【課題を解決するための手段】
【０００６】
１つの実施形態では、死体防腐処置台のための作業面拡張部は、シート部材と、１つ又はそれ以上のスパー部材と、少なくとも１つの補剛部材と、締め付け部材と、を含んでいよう。シート部材は、処置面及び構造的接触面を形成することができる。１つ又はそれ以上のスパー部材は、シート部材へ固定し、シート部材の構造的接触面と接触させることができる。少なくとも１つの補剛部材は、１つ又はそれ以上のスパー部材へ固定させることができる。少なくとも１つの補剛部材は、その一部分を台基準面機構によって形成されている台受け入れ開口部と、横方向に台受け入れ開口部から第１の方向へ延びる突張り部材と、横方向に台受け入れ開口部から第２の方向へ延びるシート接触面と、を含んでいてもよい。台基準面機構とシート部材の処置面は、鋭角となるような拡張部整列角度に整列させることができる。締め付け部材は、少なくとも１つの補剛部材と回転可能に係合させることができる。締め付け部材は、少なくとも１つの補剛部材の台受け入れ開口部を少なくとも部分的に包囲するように付勢される台係合機構を含んでいてもよい。
【０００７】
別の実施形態では、死体防腐処置用組立体は、防腐処置台と作業面拡張部を含んでいよう。死体防腐処置台は、外形を有する作業面を含んでいてもよい。作業面拡張部は、処置面及び構造的接触面を形成しているシート部材と、シート部材へ固定されていてシート部材の構造的接触面と接触している１つ又はそれ以上のスパー部材と、１つ又はそれ以上のスパー部材へ固定されている少なくとも１つの補剛部材と、少なくとも１つの補剛部材と回転可能に係合している締め付け部材と、を含んでいてもよい。少なくとも１つの補剛部材は、その一部分を台基準面機構によって形成されている台受け入れ開口部を含んでいてもよい。締め付け部材は、付勢方向に付勢される台係合機構を含んでいてもよい。少なくとも１つの補剛部材の台基準面機構は、死体防腐処置台の作業面と接触させることができ、締め付け部材の台係合機構によって当該作業面に向けて押されるようになっていてもよい。締め付け部材の台係合機構と少なくとも１つの補剛部材の台受け入れ開口部は、協働して死体防腐処置の外形を少なくとも部分的に取り囲むようになっていてもよい。
【０００８】
ここに説明されている実施形態によって提供されているこれら及び追加の特徴は、次に続く詳細な説明を図面と関連付けて考察することによってより深く理解されることであろう。
【０００９】
図面に示されている実施形態は、本質的に、説明を目的とするものであって例示であり、特許請求の範囲によって定義されている主題を限定しようとするものではない。次に続く例示的な実施形態の詳細な説明は、以下の図面と関連付けて読まれれば理解されることであり、図面中、同様の構造は同様の符号で表示されている。
【図面の簡単な説明】
【００１０】
【図１】ここに示され説明されている１つ又はそれ以上の実施形態による作業面拡張部を概略的に描いている。
【図２Ａ】ここに示され説明されている１つ又はそれ以上の実施形態による作業面拡張部の図１の２−２線に沿った断面図を概略的に描いている。
【図２Ｂ】ここに示され説明されている１つ又はそれ以上の実施形態による作業面拡張部の図１の２−２線に沿った断面図を概略的に描いている。
【図３】ここに示され説明されている１つ又はそれ以上の実施形態によるスパー部材を概略的に描いている。
【図４】ここに示され説明されている１つ又はそれ以上の実施形態によるスパー部材を概略的に描いている。
【発明を実施するための形態】
【００１１】
図２Ａは、死体防腐処置台の使える作業面を拡張するための作業面拡張部の１つの実施形態を全体的に描いている。作業面側方拡張部は、概して、シート部材、１つ又はそれ以上のスパー部材、１つ又はそれ以上のスパー部材へ固定されている少なくとも１つの補剛部材、及び締め付け部材を備えている。ここでは、作業面拡張部の様々な実施形態並びに作業面拡張部の動作を更に詳細に説明してゆく。
【００１２】
図１と図２Ａを併せて参照すると、死体防腐処置台１００用の作業面拡張部１０が概略的に描かれている。作業面拡張部１０は、死体防腐処置台１００にとって使える表面積を加増するためのシート部材２０を備えている。シート部材２０は、処置面２２及び構造的接触面２４を形成している。シート部材２０は、何れかの実質的に剛性で化学薬品耐性の材料、例えばステンレス鋼又は丈夫な化学薬品耐性プラスチック（即ち、死体防腐処置用の流体及び／又は体液によって引き起こされる劣化に耐性のあるポリマー）など、から形成することができる。
【００１３】
次に図２Ｂを参照して、シート部材２０は、スパー部材３０との摩擦係合のための成形部分３２を備えている。そのため、成形部分３２は、スパー部材３０とインターロックするように形成されていてもよい。成形部分３２は、シート部材２０の台端部３４に、シート部材２０の横方向端部３６に、又はその両方に、形成されていてもよい。成形部分３２は図２Ｂには丸みとして描かれているが、成形部分３２はスパー部材とインターロックするのに適した何れの形状であってもよく、例えば、矩形、角、斜角、など、であってもよいことを指摘しておく。
【００１４】
更なる実施形態では、シート部材２０は、シート部材２０の処置面２２上へ流動物を収容するための１つ又はそれ以上のフランジ２６を含んでいてもよい。具体的には、図１に描かれている様に、シート部材２０の長さ方向縁部３８のそれぞれは、フランジ２６を形成するように上向きになっていてもよい。更に流動物収容を支援するために、シート部材２０の長さ方向縁部３８は横方向にテーパが付けられていてもよい。例えば、長さ方向縁部３８間距離がシート部材２０の台端部３４からシート部材２０の横方向端部に向けて削られていてもよい。
【００１５】
図２Ａと図２Ｂを併せて参照して、作業面拡張部１０は、作業面拡張部１０の長さ方向範囲に沿って構造的支持を提供するための１つ又はそれ以上のスパー部材３０を備えている。スパー部材３０は、何れかの実質的に剛性で化学薬品耐性の材料、例えばステンレス鋼又は丈夫な化学薬品耐性プラスチックなど、から形成することができる。スパー部材３０は、図２Ａ及び図２Ｂには中空円形管として描かれているが、スパー部材３０は、中実（例えばロッド）及び／又は中空（例えば管）であってもよいことを指摘しておく。但し、重量削減と取り扱いの容易さから管材が好適であろう。また、スパー部材３０は、構造的支持を提供するのに適する何れの断面形状を有していてもよく、例えば  方形、矩形、角形、円形、など、であってもよい。
【００１６】
作業面拡張部１０は、作業面拡張部１０のための横方向支持を提供する少なくとも１つの補剛部材４０を備えている。少なくとも１つの補剛部材４０は、何れかの実質的に剛性で化学薬品耐性の材料、例えばステンレス鋼又は丈夫な化学薬品耐性プラスチックなど、から形成することができる。少なくとも１つの補剛部材４０は、死体防腐処置台１００を受け入れるための台受け入れ開口部４２を備えている。そのため、台受け入れ開口部４２は、死体防腐処置台１００の部分と実質的に整合するように輪郭を付けられている。例えば、台受け入れ開口部４２の少なくとも一部分が死体防腐処置台１００の外形１１０とインターロックするようになっていてもよい。
【００１７】
補剛部材４０の台受け入れ開口部４２は、その一部分を、補剛部材を死体防腐処置台１００の作業面１０２と整列させる台基準面機構４４によって形成されている。台基準面機構４４は、死体防腐処置台１００に接触しシート部材２０の処置面２２を死体防腐処置台１００の作業面１０２に整列させるように構成された面を形成している。而して、処置面２２は、死体防腐処置台１００の作業面１０２を補う追加の作業スペースを提供することができる。
【００１８】
図２Ａを参照して、少なくとも１つの補剛部材４０は、更に、作業面拡張部１０に横方向の支持を提供するための突張り部材４６を備えている。突張り部材４６は、横方向に、少なくとも１つの補剛部材４０の台受け入れ開口部４２から、正ｚ方向へ突張り部の長さ６８だけ延びている。少なくとも１つの補剛部材４０は、更に、横方向に、少なくとも１つの補剛部材４０の台受け入れ開口部４２から延びるシート接触面４８を備えており、即ちシート接触面４８は実質的に負ｚ方向に沿った成分を含む方向に延びている。具体的には、ｚ成分は処置部の距離６６である。１つの実施形態では、処置部の距離６６は突張り部の長さより大きくなっている。シート部材２０が実質的に平面状である実施形態では、台基準面機構４４とシート接触面４８は、拡張部整列角度α未満の角度に整列されていてもよい。
【００１９】
作業面拡張部１０は、作業面拡張部１０を死体防腐処置台１００へ保持するのに十分な締め付け力を提供するための締め付け部材５０を備えている。締め付け部材５０は、死体防腐処置台１００の部分を締め付けるための台係合機構５２を備えている。そのため、台係合機構５２は、死体防腐処置台１００の部分に実質的に整合するように輪郭を付けられていてもよい。例えば、台係合機構５２の少なくとも一部分が死体防腐処置台１００の外形１１０とインターロックするようになっていてもよい。台係合機構５２が付勢方向５４へ付勢されるように付勢力（例えば、つる巻きばね及び／又はねじりばね）が締め付け部材５０へ加えられる。締め付け部材５０は、何れかの実質的に剛性で化学薬品耐性の材料、例えばステンレス鋼又は丈夫な化学薬品耐性プラスチックなど、から形成することができる。
【００２０】
図２Ｂに描かれている１つの実施形態では、作業面拡張部１０は、シート部材２０の構造的接触面２４と摩擦係合する２つのスパー部材３０を備えている。具体的には、シート部材２０の台端部３４及び横方向端部３６は、成形部分３２を備えている。それぞれの成形部分３２は、それがスパー部材３０を部分的に取り囲むように形成されている。少なくとも１つの補剛部材４０は、スパー部材３０がシート部材２０の成形部分３２と少なくとも１つの補剛部材４０の間で締め付けられるようにスパー部材３０へ固定されるようになっていてもよい。例えば、少なくとも１つの補剛部材４０は、シート部材２０がスパー部材３０を少なくとも１つの補剛部材４０へ保持する圧縮力を加えるような寸法とすることができる。幾つかの実施形態では、少なくとも１つの補剛部材４０の台端部３４及び横方向端部３６は、スパー部材３０を受け入れるように陥凹していてもよい。而して、シート部材２０の成形部分３２及び少なくとも１つの補剛部材４０は、協働してスパー部材３０を少なくとも部分的に包囲することができる。
【００２１】
シート部材２０とスパー部材３０と少なくとも１つの補剛部材４０が互いに固定されたとき、シート部材２０は少なくとも１つの補剛部材４０によって支持される。具体的には、シート部材２０の構造的接触面２４は、補剛部材４０のシート接触面４８と接触した状態になる。また、その様に固定されたとき、台基準面機構４４とシート部材２０の処置面２２は拡張部整列角度αに整列する。拡張部整列角度αは鋭角であり、例えば、１つの実施形態では整列角度αは約４５°未満、また別の実施形態では約５°から約３０°まで、など、とされている。
【００２２】
図２Ｂに戻って、幾つかの実施形態では、それぞれの補剛部材４０は、選択的に、回転可能である。例えば、少なくとも１つの補剛部材４０の台端部３４、横方向端部３６、又はその両方は、孔７２を含んでいてもよい。少なくとも１つの補剛部材４０は、スパー部材３０と解放可能に係合させることができる。具体的には、少なくとも１つの補剛部材４０の台端部３４にあるスパー部材３０がピン７４を含み、横方向端部３６にあるスパー部材３０が例えば戻り止め及び同種物の様な付勢式取付部材７０を含んでいてもよい。シート部材２０とスパー部材３０と少なくとも１つの補剛部材４０を互いに固定したとき、捩じれ（即ち、実質的にｙ軸周りの回転）が軽減されるようにピン７４と付勢式取付部材７０を孔７２に受けさせればよい。
【００２３】
付勢式取付部材７０を解放方向７６に作動させると、付勢式取付部材７０は孔７２から離れるように押され、少なくとも１つの補剛部材４０を連結解除させることができる。補剛部材４０を連結解除させたら、補剛部材４０を捻って、シート部材２０によってスパー部材３０及び少なくとも１つの補剛部材４０へ加えられている締め付け力を逃がせばよい。そうすれば、作業面拡張部１０を、例えば洗浄や収納のために、分解できるようになる。図２Ｂに描かれている実施形態では、補剛部材４０の７２の孔と係合させた付勢式取付部材７０及びピン７４によって捩じれが軽減されているが、更に選択的に回転可能な実施形態を企図していることに着目されたい。例えば、少なくとも１つの補剛部材４０は、台端部３４と横方向端部３６のどちらでもないところ又はその両方又はその一方にある取付部材、例えば、ピン、戻り止め、ボルト、アンカー、及び同種物など、と係合されるようになっていてもよい。但し、偶発的な分解を防ぐためには、捩じれを軽減する実施形態に好ましい効用が見いだされるであろう。
【００２４】
図３及び図４を併せて参照して、補剛部材４０は、スパー部材３０（図２Ａ及び図２Ｂ）の１つとの解放可能な係合のためにスパー係合部材１３０と回転可能に連結されている。図３を参照して、スパー係合部材１３０は、ロック孔１３６と協働してスパー係合部材１３０を選択的にロックしたり解放したりする枢動軸１３２とロック部材１３４を備えていてもよい。枢動軸１３２は、補剛部材４０とスパー係合部材１３０を回転可能に連結するのに適するピン又は何らかの他の装置とすることができる。図３に描かれている様に、スパー係合部材１３０が解放されているとき、スパー係合部材１３０は枢動軸１３２周りを枢動方向１３８に沿って回転することができる。而して、スパー係合部材１３０を解放すれば、ここに記載の実施形態の組立及び分解がやり易くなる。
【００２５】
図４に描かれている様に、スパー係合部材１３０がロックされているとき、スパー係合部材１３０は補剛部材４０に対して固定され補剛部材４０をスパー部材３０（図２Ａ及び図２Ｂ）の１つ又はそれ以上と堅固に係合させている。ロック部材１３４は、ロック孔１３６と係合するようにｘ軸に沿って付勢されるピンとすることができる。ロック部材１３４及び／又はロック孔１３６は、スパー係合部材１３０を補剛部材４０に対して選択的にロックしたり解放したりするのに適する何れの装置と置き換えられてもよいことを指摘しておく。また、スパー係合部材１３０は図３及び図４には補剛部材４０の台端部３４にあるものとして描かれているが、補剛部材４０は複数のスパー係合部材を含んでいてもよいことを指摘しておく。
【００２６】
再び図１を参照して、作業面拡張部１０は、拡張された作業面積を提供するために死体防腐処置台１００へ連結することができる。例えば、死体防腐処置台１００は、作業面１０２を含んでいてもよい。作業面１０２には、協働して流動物の流れをうまく捌くように高くなっている中央部分１０４と流動物排流陥凹１０６が形成されて含まれている。具体的には、高くなっている中央部分１０４は、流動物を、それらを捕集する流動物排流陥凹１０６に向けて方向決めする。流動物排流部１０６は、捕集された流動物を廃棄のために排流口１０８に向けて方向決めするように勾配が付けられていてもよい。
【００２７】
図２Ａに戻って、作業面１０２は、作業面１０２へ構造的剛性を提供している支持フレーム１２０へ連結されていてもよい。支持フレーム１２０は、１つ又はそれ以上の長さ方向支持部材１２４へ連結されている１つ又はそれ以上の横方向支持部材１２２を含んでいてもよい。図２Ｂに描かれている実施形態では、支持フレーム１２０は、２つの横方向支持部材１２２と２つの長さ方向支持部材１２４を実質的に矩形構成に備えている。加えて、支持フレーム１２０は、図２Ｂには描かれていない油圧システム及び転動シャーシへ連結されていてもよいことを指摘しておく。更に、ここに記載の実施形態は、或る特定の死体防腐処置台に関して説明されているが、ここに記載の実施形態は何れの死体防腐処置台と共に利用されてもよいことを指摘しておく。
【００２８】
締め付け部材５０は、作業面拡張部１０を死体防腐処置台１００に対して実質的に静止に保持するのに十分な締め付け力を提供するように少なくとも１つの補剛部材４０と回転可能に係合している。例えば、付勢式部材を付勢方向５４に付勢すれば締め付け部材５０の台係合機構５２が死体防腐処置台１００に押し付けられるようにすることができる。例えば、死体防腐処置台１００の外形１１０は、少なくとも１つの補剛部材４０の台受け入れ開口部４２によって少なくとも部分的に包囲されるようになっていてもよい。少なくとも１つの補剛部材４０の台基準面機構４４を死体防腐処置台１００の作業面１０２と接触させ、死体防腐処置台１００の長さ方向支持部材１２４を少なくとも１つの補剛部材４０の台受け入れ開口部４２内に位置付けることができる。締め付け部材５０の台係合機構５２を付勢方向５４に、少なくとも１つの補剛部材４０の台基準面機構４４が作業面１０２と接触できるようにして付勢してゆくと、台基準面機構が死体防腐処置台１００の作業面１０２に向かって押され、締め付け部材５０の台係合機構５２と少なくとも１つの補剛部材４０の台受け入れ開口部４２は協働して死体防腐処置台１００の長さ方向支持部材１２４を少なくとも部分的に取り囲むことができる。
【００２９】
また、締め付け部材５０の台係合機構５２を付勢方向５４と反対の方向に作動させると、締め付け部材５０の台係合機構５２と少なくとも１つの補剛部材４０の台受け入れ開口部４２によって取り囲まれる死体防腐処置台１００の外形１１０の割合が小さくなる。具体的には、締め付け部材５０の付勢力を減らすと、締め付け部材は死体防腐処置台１００を解放し、即ち締め付け部材５０は開き、作業面拡張部１０を死体防腐処置台１００から取り外せるようになる。
【００３０】
作業面拡張部１０のための更なる支持を、死体防腐処置台１００の作業面１０２下方を横方向に正ｚ軸方向へ延びることのできる突張り部材４６によって提供することができる。死体防腐処置台１００の外形１１０が締め付け部材５０によって締め付けられると、台接触部材６０が死体防腐処置台１００と接触状態に入って、作業面拡張部１０の処置面へ力が加えられたときのｘ軸周りの回転を食い止めることができる。そのため、台接触部材６０は、高摩擦係数を有する材料であって死体防腐処置台より可撓性の高い材料、例えばエラストマーなど、で形成することができる。
【００３１】
図１に戻って、締め付け部材５０を作動させることによって作業面拡張部１０を死体防腐処置台１００の外形１１０へ連結したりそこから取り外したりできるようにすることは随意である。作業面拡張部１０が死体防腐処置台１００と係合しているとき、作業面拡張部１０の台端部の成形部分３２は作業面１０２の流動物排流陥凹１０６上方に配置されることになる。そのため、作業面拡張部１０によって囲われている流動物は流動物排流陥凹１０６へ流れ込むことになる。作業面拡張部１０は、更に、死体防腐処置台１００の作業面１０２下方に収納することができる。
【００３２】
図２Ａに描かれている様に幾つかの実施形態では、死体防腐処置台１００は、作業面拡張部１０をそれが死体防腐処置台１００の外形１１０と係合していないときに収納するための１つ又はそれ以上のブラケット部材６２を備えていてもよい。ブラケット部材６２は、ブラケット角度βを有する実質的に“Ｌ”字形に形成することができる。ブラケット角度βは、輸送中（例えば、死体防腐処置台１００の横揺れ中）に作業面拡張部１０を固定しておくのに適する何れの角度であってもよく、例えば１つの実施形態ではブラケット角度βは鋭角とすることができる。それぞれのブラケット部材６２は、連結部材６４を介して死体防腐処置台１００の支持フレーム１２０へ連結されるようになっていてもよい。
【００３３】
ここに説明されている実施形態は、死体防腐処置台の作業面の拡張部を提供していることがこれで理解されたであろう。例えば、作業面拡張部は締め付け部材の操作を通じて、死体防腐処置台へ取り付けることができ、及び／又は死体防腐処置台から取り外すことができる。作業面拡張部は、死体防腐処置台の排流システムと協働し、死体防腐処置プロセス中の流動物の流れを制御するように、作業面に対して角度を付けさせることができる。更に、側方拡張部は、作業面拡張部の無い死体防腐処置台によって対処しきれない肥満者の死体を保持するのに使用されてもよい。更に、死体防腐処置台には、不使用時、作業面拡張部を死体防腐処置台下方に収納できるように、収納場所を設けることができる。而して死体防腐処置台を部屋から部屋へ容易に移動させることができる。
【００３４】
「実質的」及び「約」という用語は、ここでは、何らかの量的比較、数値、測定値、又は他の表記、に帰属する固有の不確定度を表すのに用いられていることを指摘しておく。これらの用語は、ここでは、量的表記が、言及されている基準から、問題になっている主題の基本的機能に変化を生じさせることなく変動し得る程度を表すのにも用いられている。
【００３５】
また、ここに記載されている実施形態には明解さを期してｘｙｚ座標系が提供されていることを指摘しておく。然るに、ｘｙｚ座標系は、記載の範囲から逸脱することなく何れの他の座標系へ変換されてもよい。更に、横方向、長さ方向、及び同種の語の様な、方向を示す用語は、提供されている座標系に関して記述されているものであり、限定を課すことを意図するものではない。具体的には、ここでの使用に際し横方向とは概してｚ軸に沿った方向を言い、ここでの使用に際し長さ方向とは概してｘ軸に沿った方向を言う。従って、その様な用語には本開示の範囲から逸脱すること無しに何れの座標系変換が適用されてもよい。
【００３６】
特定の実施形態をここに示し説明してきたが、特許請求対象の主題の精神及び範囲から逸脱することなく、様々な他の変更及び修正が加えられることもあるものと理解されたい。また、特許請求対象の主題の様々な態様をここに説明してきたが、その様な態様は組み合わせて利用される必要はない。従って、付随の特許請求の範囲は、特許請求対象の主題の範囲の内にある全てのその様な変更及び修正に及ぶものとする。
【符号の説明】
【００３７】
１０  作業面拡張部
２０  シート部材
２２  処置面
２４  構造的接触面
２６  フランジ
３０  スパー部材
３２  成形部分
３４  台端部
３６  横方向端部
３８  長さ方向縁部
４０  補剛部材
４２  台受け入れ開口部
４４  台基準面機構
４６  突張り部材
４８  シート接触面
５０  締め付け部材
５２  台係合機構
５４  付勢方向
６０  台接触部材
６２  ブラケット部材
６４  連結部材
６６  処置部の距離
６８  突張り部の長さ
７０  付勢式取付部材
７２  孔
７４  ピン
７６  解放方向
１００  死体防腐処置台
１０２  作業面
１０４  高くなっている中央部分
１０６  流動物排流陥凹
１０８  排流口
１１０  台の外形
１２０  支持フレーム
１２２  横方向支持部材
１２４  長さ方向支持部材
１３０  スパー係合部材
１３２  枢動軸
１３４  ロック部材
１３６  ロック孔
１３８  枢動方向
α  拡張部整列角度
β  ブラケット角度
【図１】
0005965491.tif 000002
【図２Ａ】
0005965491.tif 000003
【図２Ｂ】
0005965491.tif 000004
【図３】
0005965491.tif 000005
【図４】
0005965491.tif 000006